(57)【要約】【課題】製作、輸送、据付の都合により機能部品を分けて実装した複数のユニット間を電気的に接続する接続線が予め安定して配線されたエレベータ制御装置を提供する。【解決手段】エレベータ制御装置は、回転軸に軸支され展開されたり折り畳まれたりし且つ機能部品が分けられて実装された２つのユニットを備えるエレベータ制御装置において、上記回転軸を中心として上記２つのユニットを折り畳んだときに必要な長さを有し且つ上記２つのユニット間を接続する接続線を上記２つのユニットを展開したときに上記回転軸方向に弛みを確保するように上記２つのユニットそれぞれに固定する。【選択図】図２
2010076905.tif 000002
【特許請求の範囲】
【請求項１】
回転軸に軸支され展開されたり折り畳まれたりし且つ機能部品が分けられて実装された２つのユニットを備えるエレベータ制御装置において、
上記回転軸を中心として上記２つのユニットを折り畳んだときに必要な長さを有し且つ上記２つのユニット間を接続する接続線を上記２つのユニットを展開したときに上記回転軸方向に弛みを確保するように上記２つのユニットそれぞれに固定することを特徴とするエレベータ制御装置。
【請求項２】
上記接続線を上記回転軸の近傍で配線固定具に固定することを特徴とする請求項１に記載のエレベータ制御装置。
【請求項３】
上記接続線を上記回転軸から常に一定距離離間する配線固定具に固定することを特徴とする請求項１に記載のエレベータ制御装置。
【発明の詳細な説明】
【技術分野】
【０００１】
この発明は、機械室レスエレベータを制御するエレベータ制御装置に関するものである。
【背景技術】
【０００２】
従来、機械室レスエレベータの制御装置を薄型化しようとするとき、ある程度の長さまたは高さの複数の筐体に機能部品を分けて実装し、据付時に複数の筐体を結合させるまたは筐体間を接続線で接続させることで、制御装置としての機能を確保している。
このため、製作、輸送、据付の各フェーズにおいて、１つの筐体にて構成する場合と比較して多くの材料および作業時間が掛かるという問題点があった（例えば、特許文献１参照）。
そこで筐体間に布線された接続線の長さに弛みを持たせて予め接続し、筐体を連結する回転軸を中心に折り畳んだり展開したりする。
【０００３】
【特許文献１】特開平１１−２１０３６号公報
【発明の開示】
【発明が解決しようとする課題】
【０００４】
しかし、２つのユニットの結合部に配線を固定する箇所を設けない場合は、展開上必要となる余長を設けておけば良いが、その長さ、形状を安定させることは困難である。このため展開時、折りたたみ時において、配線の余長不足や噛み込みの可能性があるという問題がある。
また、片側のユニットに取り付けられた配線固定具に固定されている配線は、ユニットの折りたたまれるにつれて、ユニット側の部分を引きずり出すことになる。この為、ユニット側の配線の長さ、形状を安定させることは困難である。このため展開時、折りたたみ時において、配線の余長不足や噛み込みの可能性があるという問題がある。
【０００５】
この発明は、製作、輸送、据付の都合により機能部品を分けて実装した複数のユニット間を電気的に接続する接続線が予め安定して配線されたエレベータ制御装置を提供することが目的である。
【課題を解決するための手段】
【０００６】
この発明に係るエレベータ制御装置は、回転軸に軸支され展開されたり折り畳まれたりし且つ機能部品が分けられて実装された２つのユニットを備えるエレベータ制御装置において、上記回転軸を中心として上記２つのユニットを折り畳んだときに必要な長さを有し且つ上記２つのユニット間を接続する接続線を上記２つのユニットを展開したときに上記回転軸方向に弛みを確保するように上記２つのユニットそれぞれに固定する。
【発明の効果】
【０００７】
この発明に係るエレベータ制御装置の効果は、回転軸を回転中心として２つのユニットを折り畳んだときに必要とする長さを有し且つ２つのユニット間を接続する接続線を２つのユニットを展開したときに回転軸方向に弛みを確保するように２つのユニットそれぞれに固定しているので、回転軸を回転中心として一方のユニットを回転することにより接続線の固定された２つの位置の間の距離の増える割合は小さく、接続線が安定していることである。
【発明を実施するための最良の形態】
【０００８】
実施の形態１．
図１は、この発明を実施するための最良の形態に係るエレベータ制御装置のユニットの構成図である。図１（ａ）は、エレベータ制御装置を構成する２つのユニットを展開した状態の平面図である。図１（ｂ）は、展開した状態の２つのユニットの側面図である。
この発明の実施の形態１に係るエレベータ制御装置は、エレベータ制御装置を構成する機能部品の一部を実装した下部側ユニット１ａと、エレベータ制御装置を構成する機能部品の残りを実装した上部側ユニット１ｂとが展開軸２により連結されている。
展開軸２は、一端が下部側ユニット１ａの相対する側面に固定され、他端で回転軸５を回転自在に軸支する２つの下部側支持部材３と、一端が上部側ユニット１ｂの相対する側面に固定され、他端で回転軸５を回転自在に軸支する２つの上部側支持部材４とから構成される。そして、下部側ユニット１ａと上部側ユニット１ｂとは、接続線６により接続されている。
【０００９】
図２は、下部側ユニット１ａと上部側ユニット１ｂとを接続する接続線６を配線した様子を示す図である。
下部側ユニット１ａと上部側ユニット１ｂとを水平方向に並べたとき、すなわち展開したとき相対する面に位置するように配線固定具７ａ、７ｂが取り付けられている。下部側ユニット１ａに取り付けられた配線固定具７ａは、上部側ユニット１ｂに取り付けた配線固定具７ｂとは回転軸５の軸方向に離間した位置に取り付けられている。配線固定具７ａ、７ｂは、Ｌ字アングルであり、エレベータ制御装置の機能部品が実装された図示しない基板にＬ字アングルの一辺が固定されている。そして、接続線６は、配線固定具７ａ、７ｂのＬ字アングルの他辺に沿わされ、Ｌ字アングルの他辺の端部で固定されている。この下部側ユニット１ａの配線固定具７ａに固定された固定点８ａから上部側ユニット１ｂの配線固定具７ｂに固定された固定点８ｂの間の接続線６の長さは、回転軸５を回転中心として下部側ユニット１ａと上部側ユニット１ｂとを折り畳んだときの配線固定具７ａ、７ｂの接続線６を固定する２つの固定点８ａ、８ｂの間をユニットの表面に沿った長さより少し長い。
【００１０】
図３は、この発明の実施の形態１に係るエレベータ制御装置を展開されている状態から折り畳まれた状態に折り畳んでいく過程を示す。
配線固定具７ｂは、上部側ユニット１ｂを下部側ユニット１ａを動かないようにして６０度反時計方向に回転すると、図３（ａ）に示すように、回転軸５を回転中心に６０度反時計方向に回転する。そして、配線固定具７ａ、７ｂに接続線６が固定された固定点８ａ、８ｂは周方向に回転軸５を中心に回転軸５と固定点８ａ、８ｂを径とした円弧分だけ離れるので、固定点８ａと固定点８ｂとの間の距離が変化した分は固定点８ａと固定点８ｂの間の接続線６に回転軸５の軸方向に持たせた弛みにより吸収することができる。
【００１１】
同様に、回転軸５を回転中心にして上部側ユニット１ｂを１２０度反時計方向に回転すると、図３（ｂ）に示すように、配線固定具７ｂが１２０度反時計方向に回転する。そして、上部側ユニット１ｂが回転することにより固定点８ａと固定点８ｂとの間の距離が変化した分は固定点８ａと固定点８ｂの間の接続線６に回転軸５の軸方向に持たせた弛みによりさらに吸収することができる。
最後に、回転軸５を中心にして上部側ユニット１ｂを１８０度反時計方向に回転すると、図３（ｃ）に示すように、下部側ユニット１ａの上に上部側ユニット１ｂが折り畳まれる。
【００１２】
図２（ｂ）のように下部側ユニット１ａと上部側ユニット１ｂとを展開したときと、図３（ｃ）のように下部側ユニット１ａの上に上部側ユニット１ｂが折り畳まれたときとの配線固定具７ａ、７ｂに接続線６が固定された固定点８ａ、８ｂの間の距離は、固定点８ａ、８ｂの回転軸方向で離間した距離と回転軸５と固定点８ａとの距離の２倍とを三角形の２辺の長さとしたときの残りの１辺の長さとなる。
それゆえに、固定点８ａ、８ｂは回転軸５の近傍であるので、固定点８ａ、８ｂを回転軸５の軸方向に所定の距離だけ離間すると、必要な接続線６の弛みは回転軸５の軸方向の所定の距離に比べて少なくてすむ。
【００１３】
この発明の実施の形態１に係るエレベータ制御装置は、回転軸５を回転中心として２つのユニット１ａ、１ｂを折り畳んだときに必要とする長さを有し且つ２つのユニット間を接続する接続線６を２つのユニットを展開したときに回転軸方向に弛みを確保するように２つのユニットそれぞれに固定しているので、回転軸を回転中心として一方のユニットを回転することにより接続線６の固定された２つの位置の間の距離の増える割合は小さく、接続線６が安定している。
また、弛みが少なくても良いので、弛みが不足して接続線６に必要以上の力を加えたり、弛みが大きすぎてユニット間に噛み込まれたりすることがない。
【００１４】
なお、上述の実施の形態１において、配線固定具７ａ、７ｂは、下部側ユニット１ａ、上部側ユニット１ｂと独立したものとして説明したが、下部側ユニット１ａ、上部側ユニット１ｂの一部であっても良い。
また、配線固定具７ａ、７ｂの形状は、Ｌ字アングルとして説明したが、接続線６が回転軸５方向に保持可能である形状であれば良い。
また、接続線６は、１本として説明したが、本数に限りはない。
また、回転軸５の位置は、下部側ユニット１ａ、上部側ユニット１ｂを折り畳んだり、展開したりすることができれば、如何なる位置であっても良い。
また、下部側ユニット１ａ、上部側ユニット１ｂは、折り畳み時に下部側ユニット１ａと上部側ユニット１ｂの相対する面が、接触する位置で描かれているが、下部側ユニット１ａ、上部側ユニット１ｂの相対する面に隙間が開いた状態で、折り畳まれる構造においてもその構成に問題ないことは、自明である。
【００１５】
実施の形態２．
図４は、この発明の実施の形態２に係るエレベータ制御装置のユニットの構成図である。図４（ａ）は、エレベータ制御装置を構成する２つのユニットを展開した状態の平面図である。図４（ｂ）は、展開された２つのユニットの側面図である。
この発明の実施の形態２に係るエレベータ制御装置は、エレベータ制御装置を構成する機能部品の一部を実装した下部側ユニット１ａと、エレベータ制御装置を構成する機能部品の残りを実装した上部側ユニット１ｂとが展開軸２Ｂにより連結されている。展開軸２Ｂは、下部側ユニット１ａと上部側ユニット１ｂとを折り畳むときの回転中心の延長上の両側に配置された回動部材１１ａ、１１ｂと、回動部材１１ａ、１１ｂ間を渡る配線固定具１９とから構成される。
【００１６】
回動部材１１ａ、１１ｂは折り畳まれる方向に線対称であり、一端が下部側ユニット１ａの折り畳まれる方向に平行な側面に固定される第１軸１２、一端が上部側ユニット１ｂの折り畳まれる方向に平行な側面に固定される第２軸１３、第１軸１２に折り畳まれる方向に回転自在に支持される第１アーム１４、第２軸１３に折り畳まれる方向に回転自在に支持される第２アーム１５、第１アーム１４を折り畳まれる方向に回転自在に支持する第３軸１６、第２アーム１５を折り畳まれる方向に回転自在に支持する第４軸１７、第３軸１６と第４軸１７が固定されるとともに配線固定具１９が固定される側板１８を備える。
そして、配線固定具１９には各接続線６が接続されている。
【００１７】
図５は、この発明の実施の形態２に係るエレベータ制御装置を展開されている状態から折り畳まれた状態に折り畳んでいく過程を示す。
回動部材１１ａ、１１ｂは、上部側ユニット１ｂを下部側ユニット１ａを動かないようにして６０度反時計方向に回転すると、図５（ａ）に示すように、第１軸１２を中心に第１アーム１４が回転し、また第２軸１３を中心に第２アーム１５が回転し、回動部材１１ａ、１１ｂが３０度反時計方向に回転する。そして、配線固定具１９は仮想回転軸２０を回転中心として３０度反時計方向に回転するが、仮想回転軸２０との距離は変わらない。そこで、上部側ユニット１ｂが回転することにより固定点２１ａと固定点２１ｂとの間の距離が変化した分は固定点２１ａと配線固定具１９での固定点２２との間および固定点２１ｂと配線固定具１９での固定点２２との間に持たせた弛みにより吸収することができる。
【００１８】
同様に、仮想回転軸２０を中心にして上部側ユニット１ｂを１２０度反時計方向に回転すると、図５（ｂ）に示すように、回動部材１１ａ、１１ｂが６０度反時計方向に回転する。そして、配線固定具１９は仮想回転軸２０を回転中心として６０度反時計方向に回転するが、仮想回転軸２０との距離は変わらない。そこで、上部側ユニット１ｂが回転することにより固定点２１ａと固定点２１ｂとの間の距離が変化した分は固定点２１ａと配線固定具１９での固定点２２との間および固定点２１ｂと配線固定具１９での固定点２２との間に持たせた弛みにより吸収することができる。
最後に、仮想回転軸２０を中心にして上部側ユニット１ｂを１８０度反時計方向に回転すると、図５（ｃ）に示すように、下部側ユニット１ａの上に上部側ユニット１ｂが折り畳まれる。
【００１９】
この発明の実施の形態２に係るエレベータ制御装置は、２つのユニット１ａ、１ｂを接続する接続線６の２つのユニット１ａ、１ｂに固定された固定点２１ａ、２１ｂの中間を仮想回転軸２０から常に一定の距離にある配線固定具１９に固定しているので、接続線６に持たせる弛みは少なくてもすみ、接続線６が安定している。
【図面の簡単な説明】
【００２０】
【図１】この発明を実施するための最良の形態に係るエレベータ制御装置のユニットの構成図である。
【図２】下部側ユニットと上部側ユニットとを接続する接続線を配線した様子を示す図である。
【図３】この発明の実施の形態１に係るエレベータ制御装置を展開されている状態から折り畳まれた状態に折り畳んでいく過程を示す。
【図４】この発明の実施の形態２に係るエレベータ制御装置のユニットの構成図である。
【図５】この発明の実施の形態２に係るエレベータ制御装置を展開されている状態から折り畳まれた状態に折り畳んでいく過程を示す。
【符号の説明】
【００２１】
１ａ  下部側ユニット、１ｂ  上部側ユニット、２、２Ｂ  展開軸、３  下部側支持部材、４  上部側支持部材、５  回転軸、６  接続線、７ａ、７ｂ  配線固定具、８ａ、８ｂ  固定点、１１ａ、１１ｂ  回動部材、１２  第１軸、１３  第２軸、１４  第１アーム、１５  第２アーム、１６  第３軸、１７  第４軸、１８  側板、１９  配線固定具、２０  仮想回転軸、２１ａ、２１ｂ、２２  固定点。
【図１】
2010076905.tif 000003
【図２】
2010076905.tif 000004
【図３】
2010076905.tif 000005
【図４】
2010076905.tif 000006
【図５】
2010076905.tif 000007